(57)【要約】【課題】ＣＰＩＣＨの受信においてフィンガの割り当て時に正確な位相推定値を算出して受信性能の劣化を防止すること。【解決手段】制御部１１０は、外部（フィンガ割り当て部）から入力されるパス更新情報を受けて各スロットのパイロットシンボルから得られた位相推定値ξｓｌｏｔ（ｎ＋１）を取得するＲＳ−ＦＦ１０１に対してリセット信号を出力し、パスが更新されるスロットの位相推定値を取り込むのを停止させる。つまり、パス更新時では、乗算器１０５を除く乗算器１０６〜１０８においてＤ−ＦＦ１０２〜１０４が出力する遅延位相推定値と対応する重み付け係数（Ｗｂ，Ｗｃ、Ｗｄ）とが乗算され、加算器１０９にて加算される。その結果、パスの更新されるスロットの位相推定値を除いた複数スロットの位相推定値について重み付け平均した位相推定値ξｗｍｓａ（ｎ）が同期検波部へ出力される。【選択図】　　　図１
2004007088.tif 000002
【特許請求の範囲】
【請求項１】
複数スロットのパイロット信号による位相推定値の重み付け平均を行った位相推定値を用いて同期検波を行う無線受信装置において、パス更新情報を受けて異なるパスの位相推定値を含めないで前記重み付け平均を行った位相推定値を生成する位相平均化処理手段、を具備することを特徴とする無線受信装置。
【請求項２】
前記位相平均化処理手段は、取込指令を受けて対応するスロットの位相推定値を取り込み、取込停止指令を受けて対応するスロットの位相推定値の取り込みを停止する取込手段と、更新指令を受けて前記取込手段が取り込んだ位相推定値を複数スロット分遅延する遅延バッファと、前記取込手段の出力位相推定値及び前記遅延バッファの各スロットの遅延位相推定値について重み付け平均を実行し、前記同期検波に用いる位相推定値を求める重み付け平均手段と、パスの更新が行われないスロットでは、各スロットにおいて前記取込指令及び前記更新指令を発生して当該スロットの位相推定値を含んで前記重み付け平均手段に位相推定値の重み付け平均を行わせ、前記パス更新情報を受けてパスの更新が行われる当該スロットでは前記取込停止指令を発生して異なるパスの位相推定値を含めないで前記重み付け平均手段に位相推定値の重み付け平均を行わせ、その後、前記更新指令を発生する制御手段と、を具備したことを特徴とする請求項１記載の無線受信装置。
【請求項３】
送信信号が存在する送信期間と存在しないギャップ期間とを含む受信データの前記ギャップ期間を示すギャップ情報に基づき、前記ギャップ期間における開始時スロット位置とその後の前記送信期間の開始時スロット位置をそれぞれ検出し、前記検出した両開始時スロット位置のそれぞれにおいて前記位相平均化処理手段への前記パス更新情報を発生するパス更新情報発生手段、を具備することを特徴とする請求項１記載の無線受信装置。
【請求項４】
送信信号が存在する送信期間と存在しないギャップ期間とを含む受信データの前記ギャップ期間を示すギャップ情報に基づき、前記送信期間において各スロットでの位相推定処理を行わせる制御信号を発生し、１スロット分遅延させた前記送信期間において同期検波を行わせる制御信号を発生し、前記送信期間及び前記ギャップ期間の開始時スロット位置において位相平均化処理を行わせる制御信号を発生する制御信号発生手段、を具備したことを特徴とする請求項１記載の無線受信装置。
【請求項５】
基地局がアンテナ０とアンテナ１の双方から送信しているか否かを監視する監視手段と、前記監視手段の監視結果に基づき、基地局がアンテナ０とアンテナ１の双方から正常に送信していると判断した場合は両アンテナそれぞれの位相推定値についてスロット間重み付け平均した値を用いて同期検波を行わせ、どちらかのアンテナが故障していると判断した場合はアンテナ１の位相推定値は重み付け平均せず復調対象データと同じ位相回転をかけられたパイロットシンボルから推定した位相推定値のみを用いて同期検波を行わせる同期検波制御手段と、を具備したことを特徴とする無線受信装置。
【請求項６】
逆拡散されたＤＰＣＨ信号またはＣＰＩＣＨ信号のパイロット信号から基地局が用いるアンテナ０とアンテナ１それぞれの位相推定値を算出する位相推定処理手段と、前記位相推定処理手段が算出した位相推定値に基づきアンテナ０とアンテナ１による基地局の送信状態を計測する計測手段と、前記計測手段の計測値と閾値とを比較し、計測値が閾値の範囲内にあるとき基地局がアンテナ０とアンテナ１の双方から正常に送信していることを示す第１判定信号を出力し、計測値が閾値の範囲外にあるときどちらかのアンテナが故障していることを示す第２判定信号を出力する判定手段と、前記第１判定信号を受けて前記位相推定処理手段が算出した位相推定値についてスロット間重み付け平均した値を同期検波に用いる位相推定値とする一方、前記第２判定信号を受けて前記位相推定処理手段が算出したアンテナ１の位相推定値は重み付け平均せず復調対象データと同じ位相回転をかけられたパイロットシンボルから推定した位相推定値のみを同期検波に用いる位相推定値とする同期検波用位相推定値生成手段と、を具備したことを特徴とする無線受信装置。
【請求項７】
逆拡散されたＤＰＣＨ信号のパイロット信号から基地局のアンテナ０とアンテナ１からの伝搬路のそれぞれの位相推定値を算出する第１位相推定処理手段と、逆拡散されたＣＰＩＣＨ信号のパイロット信号から基地局が用いるアンテナ０とアンテナ１それぞれの位相推定値を算出する第２位相推定処理手段と、前記第２位相推定処理手段が算出した位相推定値に基づきアンテナ０とアンテナ１による基地局の送信状態を計測する計測手段と、前記計測手段の計測値と閾値とを比較し、計測値が閾値の範囲内にあるとき基地局がアンテナ０とアンテナ１の双方から正常に送信していることを示す第１判定信号を出力し、計測値が閾値の範囲外にあるときどちらかのアンテナが故障していることを示す第２判定信号を出力する判定手段と、前記第１判定信号を受けて前記第１位相推定処理手段が算出した位相推定値についてスロット間重み付け平均した値を同期検波に用いる位相推定値とする一方、前記第２判定信号を受けて前記第１位相推定処理手段が算出したアンテナ１の位相推定値は重み付け平均せず復調対象データと同じ位相回転をかけられたパイロットシンボルから推定した位相推定値のみを同期検波に用いる位相推定値とする同期検波用位相推定値生成手段と、を具備したことを特徴とする無線受信装置。
【請求項８】
前記第１位相推定処理手段が算出した位相推定値に基づきアンテナ０とアンテナ１による基地局の送信状態を計測する計測手段、を具備し、前記判定手段は、両計測手段の計測値に閾値を適用して前記第１判定信号と前記第２判定信号をそれぞれ発生することを特徴とする請求項７記載の無線受信装置。
【請求項９】
前記計測手段は、アンテナ０とアンテナ１それぞれの受信電力を測定する手段であることを特徴とする請求項６から請求項８のいずれかに記載の無線受信装置。
【請求項１０】
前記計測手段は、アンテナ１の位相推定値の位相変化速度を測定する手段であることを特徴とする請求項６から請求項８のいずれかに記載の無線受信装置。
【請求項１１】
前記計測手段は、アンテナ０とアンテナ１それぞれの受信電力の変化を測定する手段であることを特徴とする請求項６から請求項８のいずれかに記載の無線受信装置。
【請求項１２】
前記計測手段は、アンテナ０とアンテナ１それぞれの平均受信電力と電力変化の比を測定する手段であることを特徴とする請求項６から請求項８のいずれかに記載の無線受信装置。
【請求項１３】
前記判定手段と前記同期検波用位相推定値生成手段との間に、前記判定手段の判定結果について前方保護及び後方保護を行う保護手段、を具備することを特徴とする請求項６から請求項８のいずれかに記載の無線受信装置。
【請求項１４】
複数スロットのパイロット信号による位相推定値の重み付け平均を行った位相推定値を用いて同期検波を行う無線受信装置において、パスの更新が行われないスロットでは、各スロットにおいて前後スロットの位相推定値を含んで前記位相推定値の重み付け平均を行い、パスの更新が行われるスロットでは異なるパスの位相推定値を含めないで前記位相推定値の重み付け平均を行うことを特徴とする無線受信方法。
【請求項１５】
基地局がアンテナ０とアンテナ１の双方から送信しているか否かを監視し、前記監視結果に基づき、基地局がアンテナ０とアンテナ１の双方から正常に送信していると判断した場合は両アンテナそれぞれの位相推定値についてスロット間重み付け平均した値を用いて同期検波を行い、どちらかのアンテナが故障していると判断した場合はアンテナ１の位相推定値は重み付け平均せず復調対象データと同じ位相回転をかけられたパイロットシンボルから推定した位相推定値のみを用いて同期検波を行うことを特徴とする無線受信方法。
【発明の詳細な説明】
【０００１】
【発明の属する技術分野】
本発明は、ＣＤＭＡ（Ｃｏｄｅ　Ｄｉｖｉｓｉｏｎ　Ｍｕｌｔｉｐｌｅ　Ａｃｃｅｓｓ：符号分割多元接続）方式の通信に用いられている無線受信装置及び無線受信方法に関する。
【０００２】
【従来の技術】
近年、自動車・携帯電話機等の陸上移動通信に対する需要が著しく増加しており、高速・高品質伝送と共に限られた周波数帯域でより多くの加入者容量を確保するために周波数有効利用技術が重要となっている。
【０００３】
周波数有効利用のための多元接続方式の一つとしてＣＤＭＡ方式が注目されている。ＣＤＭＡ方式は、スペクトル拡散通信技術を利用した多元接続であり、ＲＡＫＥ受信を行うことにより、マルチパス歪みの影響が受けにくく、ダイバーシチ効果も期待できるという特徴がある。
【０００４】
ここで、ＲＡＫＥ受信について概略説明する。移動体通信では、受信局には、送信局の送信波が直接到来する直接波と、建物などにより反射されて到来する反射波とが合成されて受信されることになる。この場合、反射波の経路は多数あることから、受信局には、多数の経路（マルチパス）を経由した受信信号の合成波が受信される。そして、これらの受信信号は、それぞれの経路による伝搬遅延時間を有しているので、受信局では、受信信号同士が干渉を起こしてフェージングを起こすようになる。
【０００５】
ＣＤＭＡ方式の拡散符号は、時間的にオフセットされると自己相関が小さくなる。これを利用して、逆拡散部において、伝搬遅延時間に対応した位相オフセットが与えられた拡散符号によって逆拡散を行うと、その位相オフセットに対応する伝搬遅延時間の受信信号を得ることができる。すなわち、拡散符号の位相に伝搬遅延時間に相当する位相オフセットを与えることによって、受信信号のそれぞれを相互に干渉を起こすことなく、取得することができる。
【０００６】
したがって、逆拡散部を並列に複数個設け、それぞれの逆拡散部において、受信信号の伝搬遅延時間に対応した位相オフセットを与えた拡散符号を用いて逆拡散処理を行うことによって、複数伝搬路の受信信号それぞれを独立に得ることができる。そして、得られた複数の受信信号を所定の重みを与えて加算合成することによって、良好な復調信号を得ることができる。このようにして受信する方式がＲＡＫＥ受信方式と呼ばれる。ＲＡＫＥ受信方式では、複数の経路からの受信信号を選択的に逆拡散して合成できることから、パスダイバーシティ受信を行うことができる。
【０００７】
ここで、現在、３ＧＰＰ（３ｒｄ　Ｇｅｎｅｒａｔｉｏｎ　Ｐａｒｔｎｅｒｓｈｉｐ　Ｐｒｏｊｅｃｔ：第３世代パートナーシッププロジェクト）において標準化活動が進められているＣＤＭＡ通信システムでは，ＣＰＩＣＨ（Ｃｏｍｍｏｎ　Ｐｉｌｏｔ　Ｃｈａｎｎｅｌ：共通パイロットチャネル）というチャネルが存在する。このＣＰＩＣＨは、パターン既知のパイロット信号を常に送信しているチャネルである。このＣＰＩＣＨを用いることによって移動機は、パイロットシンボルを含まない通信チャネルに対しても伝搬路推定が行えるので、同期検波を行うことが可能となる。
【０００８】
図１５は、ＤＰＣＨ（Ｄｅｄｉｃａｔｅｄ　Ｐｈｙｓｉｃａｌ　Ｃｈａｎｎｅｌ：個別物理チャネル）受信する無線受信装置において採用される各スロットの位相推定値について重み付け平均処理を行う位相平均化処理部の構成例を示す図である。
【０００９】
図１５では、受信されるＤＰＣＨのうち、スロット＃（ｎ−２）〜スロット＃（ｎ＋１）が示されている。各スロットは、データ信号Ｄとパイロット信号Ｐとで構成されている。そのうち、スロット＃（ｎ）のデータ信号Ｄが復調対象であるとしている。位相平均化処理部は、重み付け用の４個の乗算器１５０１〜１５０４と、加算器１５０５とで構成されている。
【００１０】
スロット＃（ｎ−２）のパイロット信号Ｐによる位相推定値ξｓｌｏｔ（ｎ−２）は乗算器１５０１にて重み係数Ｗｄと乗算され、スロット＃（ｎ−１）のパイロット信号Ｐによる位相推定値ξｓｌｏｔ（ｎ−１）は乗算器１５０２にて重み係数Ｗｃと乗算され、スロット＃（ｎ）のパイロット信号Ｐによる位相推定値ξｓｌｏｔ（ｎ）は乗算器１５０３にて重み係数Ｗｂと乗算され、スロット＃（ｎ＋１）のパイロット信号Ｐによる位相推定値ξｓｌｏｔ（ｎ＋１）は乗算器１５０４にて重み係数Ｗａと乗算され、それぞれ加算器１５０５に入力される。加算器１５０５から図示しない同期検波部に対し重み付け平均処理された位相推定値ξｗｍｓａ（ｎ）が出力される。
【００１１】
このように、ＤＰＣＨを用いる移動機では、同期検波に用いる位相推定値を当該スロットのパイロットシンボルから推定した位相推定値のみではなく、前後のスロットのパイロット信号からの位相推定値について重み付け平均を行った位相推定値を用いて同期検波を行うことによって、より復調性能を向上することができる。
【００１２】
また、３ＧＰＰで標準化されている送信ダイバーシチの一つにクローズドモード１がある。このクローズドモード１では、基地局は、アンテナ０とアンテナ１の二つのアンテナからそれぞれ別パターンのパイロット信号と同じパターンのデータ信号とを送信する。移動機は、基地局が二つのアンテナから送信した信号それぞれの位相推定を行い、位相差が小さくなるような制御信号ＦＢＩ（Ｆｅｅｄｂａｃｋ　Ｉｎｄｉｃａｔｏｒ）を基地局に送信する。基地局は、移動機から受信した制御信号ＦＢＩからアンテナ１側の送信信号の位相を回転させる。これによって、移動機では、フェージングの軽減が図られ、受信性能が向上する。
【００１３】
このクローズドモード１においても、移動機では、復調性能の向上を図るために同期検波に用いる位相推定値として、図１５に示したのと同様の構成で、前後複数スロットのパイロット信号から得られる位相推定値の重み付け平均を行った値を用いて、基地局が二つのアンテナから送信した信号それぞれの位相推定を行っている。
【００１４】
【発明が解決しようとする課題】
しかしながら、位相推定値を図１５に示したような重み付け平均によって求める場合には、次のような問題がある。
【００１５】
まず、フィンガを割り当てた直後や、フィンガを割り当ててから外す直前では、フィンガが割り当てられていないタイミングにおける位相推定値をも平均対象とするため位相推定値が正確に求められないので、復調性能が劣化する。特に、３ＧＰＰで標準化されているコンプレストモード時の送信ギャップの前後において同様のことが起こり、性能劣化が無視できない。
【００１６】
また、クローズドモード１においても、アンテナ１に重み付け平均後の位相推定値を用いると、基地局が用いる二つのアンテナのどちらかの送信が故障した場合に受信ができなくなる。これは、移動機が算出するアンテナ０とアンテナ１の位相差がランダム値となり、ランダムな制御信号ＦＢＩの送信によって基地局が送信するアンテナ１の位相をランダムに回転させてしまうからである。
【００１７】
本発明はかかる点に鑑みてなされたものであり、ＤＰＣＨの受信においてフィンガの割り当て時に正確な位相推定値を算出して受信性能の劣化を防止することができ、またクローズドモード１においても、二つのアンテナのどちらかの送信が故障した場合に支障無く受信が行える無線受信装置及び無線受信方法を提供することを目的とする。
【００１８】
【課題を解決するための手段】
本発明の無線受信装置は、複数スロットのパイロット信号による位相推定値の重み付け平均を行った位相推定値を用いて同期検波を行う無線受信装置において、パス更新情報を受けて異なるパスの位相推定値を含めないで前記重み付け平均を行った位相推定値を生成する位相平均化処理手段、を具備する構成を採る。
【００１９】
この構成によれば、パス更新の前後において更新されるパスの位相推定値を用いることなく重み付け平均して位相推定値を算出するので、復調性能を向上させることができる。
【００２０】
本発明の無線受信装置は、上記の発明において、前記位相平均化処理手段は、取込指令を受けて対応するスロットの位相推定値を取り込み、取込停止指令を受けて対応するスロットの位相推定値の取り込みを停止する取込手段と、更新指令を受けて前記取込手段が取り込んだ位相推定値を複数スロット分遅延する遅延バッファと、前記取込手段の出力位相推定値及び前記遅延バッファの各スロットの遅延位相推定値について重み付け平均を実行し、前記同期検波に用いる位相推定値を求める重み付け平均手段と、パスの更新が行われない場合では、各スロットにおいて前記取込指令及び前記更新指令を発生して前後スロットの位相推定値を含んで前記重み付け平均手段に位相推定値の重み付け平均を行わせ、前記パス更新情報を受けてパスの更新が行われる当該スロットでは前記取込停止指令を発生して異なるパスの位相推定値を含めないで前記重み付け平均手段に位相推定値の重み付け平均を行わせ、その後、前記更新指令を発生する制御手段と、を具備した構成を採る。
【００２１】
この構成によれば、上記の発明において、前記位相平均化処理手段は、パス更新の前後において更新されるパスの位相推定値を用いることなく重み付け平均後の位相推定値を算出することができる。
【００２２】
本発明の無線受信装置は、上記の発明において、送信信号が存在する送信期間と存在しないギャップ期間とを含む受信データの前記ギャップ期間を示すギャップ情報に基づき、前記ギャップ期間における開始時スロット位置とその後の前記送信期間の開始時スロット位置をそれぞれ検出し、前記検出した両開始時スロット位置のそれぞれにおいて前記位相平均化処理手段への前記パス更新情報を発生するパス更新情報発生手段、を具備する構成を採る。
【００２３】
この構成によれば、上記の発明において、パス更新情報発生手段では、送信信号が存在する送信期間と存在しないギャップ期間とを含む受信データの前記ギャップ期間を示すギャップ情報に基づき、ギャップ期間を含まないように前記位相平均化処理手段への前記パス更新情報を発生するので、コンプレストモード時のギャップ期間の前後においてギャップ期間中の位相推定値を用いることなく重み付け平均した位相推定値を算出することができ、復調性能を向上させることができる。
【００２４】
本発明の無線受信装置は、上記の発明において、送信信号が存在する送信期間と存在しないギャップ期間とを含む受信データの前記ギャップ期間を示すギャップ情報に基づき、前記送信期間において各スロットでの位相推定処理を行わせる制御信号を発生し、１スロット分遅延させた前記送信期間において同期検波を行わせる制御信号を発生し、前記送信期間及び前記ギャップ期間の開始時スロット位置において位相平均化処理を行わせる制御信号を発生する制御信号発生手段、を具備した構成を採る。
【００２５】
この構成によれば、上記の発明において、制御信号発生手段では、送信信号が存在する送信期間と存在しないギャップ期間とを含む受信データの前記ギャップ期間を示すギャップ情報に基づき、ギャップ期間を含まないように各種の制御信号を発生するので、コンプレストモード時のギャップ期間中の無用な処理を停止することができ、演算量の削減及び低消費電力を実現することができる。
【００２６】
本発明の無線受信装置は、基地局がアンテナ０とアンテナ１の双方から送信しているか否かを監視する監視手段と、前記監視手段の監視結果に基づき、基地局がアンテナ０とアンテナ１の双方から正常に送信していると判断した場合は両アンテナそれぞれの位相推定値についてスロット間重み付け平均した値を用いて同期検波を行わせ、どちらかのアンテナが故障していると判断した場合はアンテナ１の位相推定値は重み付け平均せず復調対象データと同じ位相回転をかけられたパイロットシンボルから推定した位相推定値のみを用いて同期検波を行わせる同期検波制御手段と、を具備した構成を採る。
【００２７】
この構成によれば、送信ダイバーシチのクローズドモード１時において、基地局が正常な送信を行っている場合は、アンテナ０、アンテナ１それぞれの位相推定値の重み付け平均を行うので、復調性能を向上させることができる。また、どちらかのアンテナが故障していると判断した場合は、アンテナ１の位相推定値はは重み付け平均せず当該スロットのパイロット信号のみを用いるようにしたので、故障時でも復調が可能とすることができる。
【００２８】
本発明の無線受信装置は、逆拡散されたＤＰＣＨ信号またはＣＰＩＣＨ信号のパイロット信号から基地局が用いるアンテナ０とアンテナ１それぞれの位相推定値を算出する位相推定処理手段と、前記位相推定処理手段が算出した位相推定値に基づきアンテナ０とアンテナ１による基地局の送信状態を計測する計測手段と、前記計測手段の計測値と閾値とを比較し、計測値が閾値の範囲内にあるとき基地局がアンテナ０とアンテナ１の双方から正常に送信していることを示す第１判定信号を出力し、計測値が閾値の範囲外にあるときどちらかのアンテナが故障していることを示す第２判定信号を出力する判定手段と、前記第１判定信号を受けて前記位相推定処理手段が算出した位相推定値についてスロット間重み付け平均した値を同期検波に用いる位相推定値とする一方、前記第２判定信号を受けて前記位相推定処理手段が算出したアンテナ１の位相推定値は重み付け平均せず復調対象データと同じ位相回転をかけられたパイロットシンボルから推定した位相推定値のみを同期検波に用いる位相推定値とする同期検波用位相推定値生成手段と、を具備した構成を採る。
【００２９】
この構成によれば、送信ダイバーシチのクローズドモード１時において、逆拡散されたＤＰＣＨ信号またはＣＰＩＣＨ信号のパイロット信号から基地局が用いるアンテナ０とアンテナ１それぞれの位相推定値を用いて基地局の送信状態を計測し、計測値と閾値とを比較して基地局が正常な送信を行っているか否かを判定できるようにしたので、基地局が正常な送信を行っている場合は、アンテナ０、アンテナ１それぞれの位相推定値の重み付け平均を行うので、復調性能を向上させることができる。また、どちらかのアンテナが故障していると判断した場合は、アンテナ１の位相推定値は重み付け平均せず当該スロットのパイロット信号のみを用いるようにしたので、故障時でも復調可能とすることができる。特に、ＣＰＩＣＨ信号を用いる場合は、送信電力が大きいので、判定精度の精度のよい判定が行えるようになる。
【００３０】
本発明の無線受信装置は、逆拡散されたＤＰＣＨ信号のパイロット信号から基地局が用いるアンテナ０とアンテナ１からの伝搬路のそれぞれの位相推定値を算出する第１位相推定処理手段と、逆拡散されたＣＰＩＣＨ信号のパイロット信号から基地局が用いるアンテナ０とアンテナ１それぞれの位相推定値を算出する第２位相推定処理手段と、前記第２位相推定処理手段が算出した位相推定値に基づきアンテナ０とアンテナ１による基地局の送信状態を計測する計測手段と、前記計測手段の計測値と閾値とを比較し、計測値が閾値の範囲内にあるとき基地局がアンテナ０とアンテナ１の双方から正常に送信していることを示す第１判定信号を出力し、計測値が閾値の範囲外にあるときどちらかのアンテナが故障していることを示す第２判定信号を出力する判定手段と、前記第１判定信号を受けて前記第１位相推定処理手段が算出した位相推定値についてスロット間重み付け平均した値を同期検波に用いる位相推定値とする一方、前記第２判定信号を受けて前記第１位相推定処理手段が算出したアンテナ１の位相推定値は重み付け平均せず復調対象データと同じ位相回転をかけられたパイロットシンボルから推定した位相推定値のみを同期検波に用いる位相推定値とする同期検波用位相推定値生成手段と、を具備した構成を採る。
【００３１】
この構成によれば、送信ダイバーシチのクローズドモード１時において、ＣＰＩＣＨ信号のパイロット信号から基地局が用いるアンテナ０とアンテナ１それぞれの位相推定値を用いて基地局の送信状態を計測し、計測値と閾値とを比較して基地局が正常な送信を行っているか否かを判定し、ＤＰＣＨ信号から得られた位相推定値を用い、基地局が正常な送信を行っている場合は、アンテナ０、アンテナ１それぞれの位相推定値の重み付け平均を行う一方、どちらかのアンテナが故障していると判断した場合は、アンテナ１の位相推定値は重み付け平均せず当該スロットのパイロット信号のみを用いるようにしたので、基地局が二つのアンテナから正常に送信している場合は復調性能を向上させることができ、いずれか一方のアンテナが故障した場合でも復調可能とすることができる。
【００３２】
本発明の無線受信装置は、上記の発明において、前記第１位相推定処理手段が算出した位相推定値に基づきアンテナ０とアンテナ１による基地局の送信状態を計測する計測手段、を具備し、前記判定手段は、両計測手段の計測値に閾値を適用して前記第１判定信号と前記第２判定信号をそれぞれ発生する構成を採る。
【００３３】
この構成によれば、上記の発明において、ＣＰＩＣＨ信号とＤＰＣＨ信号の双方の計測値を用いて基地局が正常な送信を行っているか否かを判定するようにしたので、精度よく判定が行えるようになる。
【００３４】
本発明の無線受信装置は、上記の発明において、前記計測手段は、アンテナ０とアンテナ１それぞれの受信電力を測定する手段であるという構成を採る。
【００３５】
この構成によれば、上記の発明において、アンテナ０とアンテナ１それぞれの受信電力を測定して基地局が正常な送信を行っているか否かを判定することができる。
【００３６】
本発明の無線受信装置は、上記の発明において、前記計測手段は、アンテナ１の位相推定値の位相変化速度を測定する手段であるという構成を採る。
【００３７】
この構成によれば、上記の発明において、アンテナ１の位相推定値の位相変化速度を測定して基地局が正常な送信を行っているか否かを判定することができる。
【００３８】
本発明の無線受信装置は、上記の発明において、前記計測手段は、アンテナ０とアンテナ１それぞれの受信電力の変化を測定する手段であるという構成を採る。
【００３９】
この構成によれば、上記の発明において、アンテナ０とアンテナ１それぞれの受信電力の変化を測定して基地局が正常な送信を行っているか否かを判定することができる。
【００４０】
本発明の無線受信装置は、上記の発明において、前記計測手段は、アンテナ０とアンテナ１それぞれの平均受信電力と電力変化の比を測定する手段であるという構成を採る。
【００４１】
この構成によれば、上記の発明において、アンテナ０とアンテナ１それぞれの平均受信電力と電力変化の比を測定して基地局が正常な送信を行っているか否かを判定することができる。
【００４２】
本発明の無線受信装置は、上記の発明において、前記判定手段と前記同期検波用位相推定値生成手段との間に、前記判定手段の判定結果について前方保護及び後方保護を行う保護手段、を具備する構成を採る。
【００４３】
この構成によれば、雑音などによって誤判定が発生し、判定性能が劣化するのを防止することができる。
【００４４】
本発明の無線受信方法は、複数スロットのパイロット信号による位相推定値の重み付け平均を行った位相推定値を用いて同期検波を行う無線受信装置において、パスの更新が行われないスロットでは、各スロットの位相推定値を含んで前記位相推定値の重み付け平均を行い、パスの更新が行われるスロットでは異なるパスの位相推定値を含めないで前記位相推定値の重み付け平均を行うようにした。
【００４５】
この方法によれば、パス更新の前後において復調対象データとは異なるパスの位相推定値を用いることなく重み付け平均して位相推定値を算出するので、復調性能を向上させることができる。
【００４６】
本発明の無線受信方法は、基地局がアンテナ０とアンテナ１の双方から送信しているか否かを監視し、前記監視結果に基づき、基地局がアンテナ０とアンテナ１の双方から正常に送信していると判断した場合は両アンテナそれぞれの位相推定値についてスロット間重み付け平均した値を用いて同期検波を行い、どちらかのアンテナが故障していると判断した場合はアンテナ１の位相推定値は重み付け平均せず復調対象データと同じ位相回転をかけられたパイロットシンボルから推定した位相推定値のみを用いて同期検波を行うようにした。
【００４７】
この方法によれば、ＣＰＩＣＨの受信において、移動機は、基地局がアンテナ０、アンテナ１の両アンテナから正常に送信しているかを監視し、正常に送信していると判定した場合、重み付け平均を行った位相推定値を用いて同期検波を行い、またどちらかのアンテナからの送信が停止していると判定した場合は、アンテナ１側の位相推定値は重み付け平均せず復調対象データと同じ位相回転をかけられたパイロットシンボルから推定したの位相推定値のみを用いて同期検波を行うことができるので、復調性能を向上させ、かつ故障時においても復調が可能となる。
【００４８】
【発明の実施の形態】
本発明の骨子は、ＤＰＣＨの受信において、パス更新の前後において復調対象データとは異なるパスの位相推定値を用いることなく、またコンプレストモード時の送信ギャップの前後においてギャップ期間中の位相推定値を用いることなく、複数スロット分遅延する遅延バッファの更新を行って重み付け平均された位相推定値を正確に算出できるようにし、復調性能を向上させることである。
【００４９】
また、本発明の骨子は、クローズドモード１において、移動機にて基地局がアンテナ０、アンテナ１の両アンテナから正常に送信しているかを監視し、正常に送信していると判定した場合には、重み付け平均を行った位相推定値を用いて同期検波を行い、また、どちらかのアンテナからの送信が停止していると判定した場合には、アンテナ１側の位相推定値は重み付け平均せず復調対象データと同じ位相回転をかけられたパイロットシンボルから推定した位相推定値のみを用いて同期検波を行うようにし、受信性能を向上させ、かつ故障時においても復調が可能となるようにすることである。
【００５０】
以下、本発明の実施の形態について、図面を参照して詳細に説明する。
【００５１】
（実施の形態１）
図１は、本発明の実施の形態１に係る無線受信装置が備える位相平均化処理部の構成を示すブロック図である。図１では、位相平均化処理部の構成例１が示されている。
【００５２】
図１に示すように、位相平均化処理部は、各スロットのパイロットシンボルから得られた位相推定値ξｓｌｏｔ（ｎ＋１）を取得する取得手段としてのフリップフロップ（例えばＲＳ−ＦＦ）１０１と、ＲＳ−ＦＦ１０１が取り込んだ位相推定値を複数スロット分遅延する遅延バッファとしてのフリップフロップ（例えばＤ−ＦＦ）１０２〜１０４と、Ｄ−ＦＦ１０２〜１０４のそれぞれに入出力される位相推定値と対応する重み付け係数（Ｗａ，Ｗｂ，Ｗｃ、Ｗｄ）とを乗算する乗算器１０５〜１０８と、乗算器１０５〜１０８の出力を加算し、重み付け平均された位相推定値ξｗｍｓａ（ｎ）を図示しない同期検波部へ出力する加算器１０９と、外部（フィンガ割り当て部）から入力されるパス更新情報を受けて上記の各部を制御する制御部１１０とを備えている。
【００５３】
制御部１１０は、ＲＳ−ＦＦ１０１に対しては、フィンガ割り当てが更新されない（変更されない）場合には、各スロットにおいて位相推定値を取り込ませるセット信号を出力し、フィンガ割り当てが更新される場合には、そのスロットにおいてリセット信号を出力する。
【００５４】
制御部１１０は、Ｄ−ＦＦ１０２〜１０４に対しては、各スロットにおいて同一内容の更新指令信号を出力する。また、制御部１１０は、各スロットにおいて、乗算器１０５〜１０８に対して乗算指令信号を出力し、加算器１０９に対して加算指令信号を出力する。
【００５５】
次に、上記の構成を有する位相平均化処理部の動作について、図２を参照して説明する。なお、図２は、図１に示す位相平均化処理部にて行われる実施の形態１に係る平均化処理方法を説明する図である。なお、図２において、最右端が、ＲＳ−ＦＦ１０１に関連する動作を示し、残りの三つがＤ−ＦＦ１０２〜１０４に関連する動作を示している。
【００５６】
図２では、スロット＃００（Ｓｌｏｔ＃００）〜スロット＃１４（Ｓｌｏｔ＃１４）が繰り返す場合が示され、各スロット（Ｓｌｏｔ）では、一つ前のスロット（Ｓｌｏｔ）の同期検波の状態と、後処理（バッファ更新）の状態とが示されている。そして、スロット＃１４（Ｓｌｏｔ＃１４）からスロット＃００（Ｓｌｏｔ＃００）に変わるときにパス更新情報が入力されるとしている。
【００５７】
したがって、スロット＃００（Ｓｌｏｔ＃００）における後処理（バッファ更新）からスロット＃１４（Ｓｌｏｔ＃１４）における後処理（バッファ更新）までは、パスの更新は行われないので通常の平均処理が行われるが、スロット＃００（Ｓｌｏｔ＃００）におけるスロット＃１４（Ｓｌｏｔ＃１４）の同期検波では、この実施の形態１に係るパス更新時の平均処理が行われる。
【００５８】
まず、通常の平均処理では、制御部１１０は、毎スロットに一回、一つ前のスロットの同期検波を行うために、ＲＳ−ＦＦ１０１にセット信号を与え、最新の位相推定値を取得させる。例えば、スロット＃１４（Ｓｌｏｔ＃１４）におけるスロット＃１３（Ｓｌｏｔ＃１３）の同期検波では、ＲＳ−ＦＦ１０１に最新の位相推定値“１４”（スロット＃１４のパイロットシンボルから算出した位相推定値を指す。以下同様）がセットされる。このときにＤ−ＦＦ１０２〜１０４が保持する位相推定値は、それぞれ“１３”“１２”“１１”となっている。
【００５９】
この状態で、制御部１１０は、乗算器１０５〜１０８に対して各位相推定値に重み付け係数（Ｗａ，Ｗｂ，Ｗｃ、Ｗｄ）を乗算させ、加算器１０９に対してそれらの和を取るように制御する。その結果、複数スロット（図示例では４スロット）の位相推定値について重み付け平均された位相推定値が図示しない同期検波部へ出力される。
【００６０】
次に、バッファ更新を行うために、Ｄ−ＦＦ１０２〜１０４に更新指令信号を出力する。その結果、スロット＃１４（Ｓｌｏｔ＃１４）における後処理（バッファ更新）では、Ｄ−ＦＦ１０２にＲＳ−ＦＦ１０１が出力する位相推定値“１４”が取り込まれ、Ｄ−ＦＦ１０３にＤ−ＦＦ１０２が出力する位相推定値“１３”が取り込まれ、Ｄ−ＦＦ１０４にＤ−ＦＦ１０３が出力する位相推定値“１２”を取り込まれる。
【００６１】
スロット＃００（Ｓｌｏｔ＃００）における後処理（バッファ更新）では、パス更新直後の処理として、ＲＳ−ＦＦ１０１に“００”の位相推定値をセットし、その後、Ｄ−ＦＦ１０２〜１０４の対して更新指令信号を３回出力し、Ｄ−ＦＦ１０２〜１０４が保持する位相推定値は全て“００”に更新するが、スロット＃０１（Ｓｌｏｔ＃０１）におけるスロット＃００（Ｓｌｏｔ＃００）の同期検波以降、スロット＃１４（Ｓｌｏｔ＃１４）における後処理（バッファ更新）までは、スロット＃１４（Ｓｌｏｔ＃１４）で説明したのと同様の動作が行われる。
【００６２】
そして、フィンガの割り当てが更新され、スロット＃００（Ｓｌｏｔ＃００）におけるスロット＃１４（Ｓｌｏｔ＃１４）の同期検波時にパス更新情報を受けると、制御部１１０は、ＲＳ−ＦＦ１０１に対して、リセット信号を出力し、当該パス更新の対象であるスロットの位相推定値、つまり最新の位相推定値を取得しないようにする。リセット信号を受けたＲＳ−ＦＦ１０１は０を出力する。また、このときに、Ｄ−ＦＦ１０２〜１０４が保持する位相推定値は、それぞれ“１４”“１３”“１２”となっている。
【００６３】
その結果、乗算器１０５を除く乗算器１０６〜１０８の乗算結果について加算器１０９にて加算され、パス更新時における最新の位相推定値を除外して複数スロットの位相推定値について重み付け平均した位相推定値が求められる。上記したように、スロット＃００（Ｓｌｏｔ＃００）における後処理（バッファ更新）では、全て“００”に更新され、この状態から通常の平均処理が実施される。
【００６４】
このように、本実施の形態１においては、パス更新前後において復調データとは異なるパスの位相推定値を用いることなく複数スロットの位相推定値について重み付け平均した位相推定値を算出するようにしたので、復調性能を向上させることができる。
【００６５】
（実施の形態２）
図３は、本発明の実施の形態２に係る無線受信装置が備える位相平均化処理部の構成を示すブロック図である。図３では、位相平均化処理部の構成例２が示されている。
【００６６】
図３に示すように、位相平均化処理部は、各スロットのパイロットシンボルから得られた位相推定値ξｓｌｏｔ（ｎ＋１）を取得する取得手段としてのフリップフロップ（例えばＲＳ−ＦＦ）１０１と、ＲＳ−ＦＦ１０１が取り込んだ位相推定値を複数スロット分多段に遅延する遅延バッファとしてのフリップフロップ（例えばＤ−ＦＦ）１０２〜１０４と、Ｄ−ＦＦ１０２〜１０４のそれぞれに入出力される位相推定値と対応する重み付け係数（Ｗａ，Ｗｂ，Ｗｃ、Ｗｄ）とを乗算する乗算器１０５〜１０８と、乗算器１０５〜１０８の出力を加算し、重み付け平均された位相推定値ξｗｍｓａ（ｎ）を図示しない同期検波部へ出力する加算器１０９と、外部（フィンガ割り当て部）から入力されるパス更新情報を受けて上記の各部を制御する制御部３０１とを備えている。
【００６７】
すなわち、この実施の形態２では、実施の形態１（図１）に示した構成において、制御部１１０に代えて、制御部３０１が設けられている。そして、Ｄ−ＦＦ１０２〜１０４は、実施の形態１（図１）では、制御部１１０から同一内容の更新指令信号を受けるとしたが、この実施の形態２では、個別に制御部３０１から更新指令信号を受けるようになっている。
【００６８】
制御部３０１は、ＲＳ−ＦＦ１０１に対しては、基本的には、実施の形態１と同様に、フィンガ割り当てが更新されない場合には、各スロットにおいて位相推定値を取り込ませるセット信号を出力し、フィンガ割り当てが更新される場合には、そのスロットにおいてリセット信号を出力する。
【００６９】
このとき、この実施の形態２では、フィンガ割り当てが更新される場合、後続する二つのスロットにて行われる一つ前のスロットの同期検波において、ＲＳ−ＦＦ１０１に最新の位相推定値を取り込ませずに同期検波を行った後、最新の位相推定値を取り込ませることを行い、そのスロットでの後処理（バッファ更新）に移行するようにしている。そのため、Ｄ−ＦＦ１０２〜１０４は、個別に制御部３０１から更新指令信号を受けるようになっている。
【００７０】
次に、図４を参照して、実施の形態２に係る位相平均化処理部の動作について、説明する。
【００７１】
図４において、フィンガの割り当てが更新され、スロット＃００（Ｓｌｏｔ＃００）におけるスロット＃１４（Ｓｌｏｔ＃１４）の同期検波時にパス更新情報を受けると、制御部３０１は、ＲＳ−ＦＦ１０１に対して、リセット信号を出力し、最新の位相推定値を取得しないようにする。
【００７２】
このときに、Ｄ−ＦＦ１０２〜１０４が保持する位相推定値は、実施の形態１（図１）で説明したように、それぞれ“１４”“１３”“１２”となっている。その結果、乗算器１０５を除く乗算器１０６〜１０８の乗算結果について加算器１０９にて加算され、パス更新時における最新の位相推定値を除外して複数スロットの位相推定値について重み付け平均した位相推定値が求められる。
【００７３】
そして、スロット＃００（Ｓｌｏｔ＃００）における後処理（バッファ更新）では、実施の形態１（図１）で説明したように、ＲＳ−ＦＦ１０１に“００”の位相推定値をセットし、その後、Ｄ−ＦＦ１０２〜１０４に対して更新指令信号を３回出力し、Ｄ−ＦＦ１０２〜１０４が保持する位相推定値は全て“００”に更新する。
【００７４】
パス更新直後のスロット＃０１（Ｓｌｏｔ＃０１）におけるスロット＃００（Ｓｌｏｔ＃００）の同期検波では、ＲＳ−ＦＦ１０１に最新の位相推定値を取り込ませず、すなわち更新しないで、またＤ−ＦＦ１０２〜１０４に対して更新指令信号を出力せずに、位相推定値が全て“００”である状態における重み付け平均を算出する。
【００７５】
スロット＃０１（Ｓｌｏｔ＃０１）における後処理（バッファ更新）では、ＲＳ−ＦＦ１０１に“０１”の位相推定値をセットし、その後Ｄ−ＦＦ１０２に対して更新指令信号を出力し、Ｄ−ＦＦ１０２が保持する位相推定値を“０１”に更新する。Ｄ−ＦＦ１０３，１０４が保持する位相推定値はそれぞれ“００”である。
【００７６】
そして、パス更新後の２スロット目であるスロット＃０２（Ｓｌｏｔ＃０２）におけるスロット＃０１（Ｓｌｏｔ＃０１）の同期検波では、ＲＳ−ＦＦ１０１に最新の位相推定値を取り込ませず、すなわち更新しないで、またＤ−ＦＦ１０２〜１０４に対して更新指令信号を出力せずに、重み付け平均を算出する。つまり、“０１”“０１”“００”“００”の位相推定値について重み付け平均が算出される。
【００７７】
スロット＃０２（Ｓｌｏｔ＃０２）における後処理（バッファ更新）ではＤ−ＦＦ１０３に対して更新指令信号を出力して位相推定値を“００”から“０１”に更新させ、ＲＳ−ＦＦ１０１に“０２”の位相推定値をセットし、その後、Ｄ−ＦＦ１０２に対して更新指令信号を出力し、Ｄ−ＦＦ１０２が保持する位相推定値を“０２”に更新する。Ｄ−ＦＦ１０４が保持する位相推定値は、“００”である。
【００７８】
その後のスロット＃０３（Ｓｌｏｔ＃０３）からスロット＃１４（Ｓｌｏｔ＃１４）までは、実施の形態１で説明したのと同様の平均処理が行われる。
【００７９】
このように、本実施の形態２においては、実施の形態１と同様に、パス更新の前後において更新対象パスの位相推定値を用いることなく複数スロットの位相推定値について重み付け平均した位相推定値を算出するので、復調性能を向上させることができる。
【００８０】
（実施の形態３）
図５は、本発明の実施の形態３に係る無線受信装置が備える位相平均化処理部の構成を示すブロック図である。図５では、位相平均化処理部の構成例が示されている。
【００８１】
図５に示すように、位相平均化処理部は、各スロットのパイロットシンボルから得られた位相推定値ξｓｌｏｔ（ｎ＋１）を取得する取得手段としてのフリップフロップ（例えばＲＳ−ＦＦ）１０１と、ＲＳ−ＦＦ１０１が取り込んだ位相推定値を多段に遅延する遅延手段（遅延バッファ）としてのフリップフロップ（例えばＤ−ＦＦ）１０２〜１０４と、Ｄ−ＦＦ１０２〜１０４のそれぞれに入出力される位相推定値と対応する重み付け係数（Ｗａ，Ｗｂ，Ｗｃ、Ｗｄ）とを乗算する乗算器１０５〜１０８と、乗算器１０５〜１０８の出力を加算し、重み付け平均された位相推定値ξｗｍｓａ（ｎ）を図示しない同期検波部へ出力する加算器１０９と、外部（フィンガ割り当て部）から入力されるパス更新情報を受けて上記の各部を制御する制御部５０１とを備えている。
【００８２】
すなわち、この実施の形態３では、実施の形態１（図１）に示した構成において、制御部１１０に代えて、制御部５０１が設けられている。そして、Ｄ−ＦＦ１０２〜１０４は、実施の形態１（図１）と同様に、制御部５０１から同一内容の更新指令信号を受けるとしている。
【００８３】
制御部５０１は、通常は、毎スロットに一回、ＲＳ−ＦＦ１０１にセット信号を与え、最新の位相推定値を取得させ、乗算器１０５〜１０８に対して各位相推定値に重み付け係数を乗算させ、加算器１０９に対してそれらの和を取るように制御する。次に、Ｄ−ＦＦ１０２〜１０４に対して位相推定値を更新するように制御する。以上は、実施の形態１（図１）と同様であるが、この実施の形態３では、フィンガの割り当てが更新される場合の動作が次のようにして行われる。
【００８４】
すなわち、この実施の形態３では、制御部５０１は、フィンガの割り当てが更新されると、パス更新情報を受けたタイミング、及びその１、２スロット後において、乗算器１０５〜１０８に与える重み付け係数を例えば図６に示す値に変更設定することを行う。
【００８５】
次に、図６を参照して、実施の形態３に係る位相平均化処理部の動作について説明する。なお、図６では、実施の形態３に関わる部分として、同期検波の部分が抜き出して示されている。
【００８６】
図６において、スロット＃１４（Ｓｌｏｔ＃１４）におけるスロット＃１３（Ｓｌｏｔ＃１３）の同期検波では、位相推定値は、実施の形態１（図２）で説明したように、“１４”“１３”“１２”“１１”となっている。これに対する重み付け係数は、実施の形態１（図１）と同様に、“Ｗａ”“Ｗｂ”“Ｗｃ”“Ｗｄ”である。
【００８７】
フィンガの割り当てが更新され、スロット＃００（Ｓｌｏｔ＃００）におけるスロット＃１４（Ｓｌｏｔ＃１４）の同期検波時にパス更新情報を受けると、制御部５０１は、ＲＳ−ＦＦ１０１に対して、セット信号を出力し、最新の位相推定値“００”を取得させる。このときにＤ−ＦＦ１０２〜１０４が保持する位相推定値は、実施の形態１（図２）で説明したように、それぞれ“１４”“１３”“１２”となっている。
【００８８】
これに対し制御部５０１は、ＲＳ−ＦＦ１０１が保持する位相推定値“００”が入力される乗算器１０５に与える重み付け係数を本来の“Ｗａ”から０に変更し、他の乗算器１０６〜１０８に与える重み付け係数をそれぞれ“Ｗｂ＋Ｗａ”，“Ｗｃ”，”Ｗｄ”に変更する。
【００８９】
また、次のスロット＃０１（Ｓｌｏｔ＃０１）におけるスロット＃００（Ｓｌｏｔ＃００）の同期検波では、乗算する位相推定値は、実施の形態１（図２）で説明したように、“０１”“００”“１４”“１３”となっている。制御部５０１は、ＲＳ−ＦＦ１０１が保持する位相推定値“０１”が入力される乗算器１０５に与える重み付け係数を“Ｗａ”に変更し、ＤＳ−ＦＦ１０２が保持する位相推定値“００”が入力される乗算器１０６に与える重み付け係数を本来の“Ｗｂ”から“Ｗｂ＋Ｗｃ＋Ｗｄ”に変更し、他の乗算器１０７、１０８に与える重み付け係数をそれぞれ“０”のままとする。
【００９０】
さらに、次のスロット＃０２（Ｓｌｏｔ＃０２）におけるスロット＃０１（Ｓｌｏｔ＃０１）の同期検波では、乗算する位相推定値は、実施の形態１（図２）で説明したように、“０２”“０１”“００”“１４”となっている。制御部５０１は、ＲＳ−ＦＦ１０１が保持する位相推定値“０２”が入力される乗算器１０５に与える重み付け係数をそのまま“Ｗａ”とし、ＤＳ−ＦＦ１０２が保持する位相推定値“０１”が入力される乗算器１０６に与える重み付け係数を“Ｗｂ”とし、、乗算器１０７に与える重み付け係数を“Ｗｃ＋Ｗｄ”に変更し、乗算器１０８に与える重み付け係数を“０”のままとする。
【００９１】
これによって、パス更新時において実施の形態１と同様の位相推定値を得ることができるようになる。以後は、乗算器１０５〜１０８に与える重み付け係数を、実施の形態１（図１）と同様に、それぞれ“Ｗａ”“Ｗｂ”“Ｗｃ”“Ｗｄ”の対応するものに戻す設定を行い、通常の平均処理が実施される。
【００９２】
このように、本実施の形態３においては、重み付け係数を操作することによって、実質的に実施の形態１，２と同様に、パス更新の前後において更新対象パスの位相推定値を用いることなく複数スロットの位相推定値について重み付け平均した位相推定値を算出することができる。したがって、実施の形態１，２と同様に、復調性能を向上させることができる。なお、実施の形態３では、実施の形態１への適用例を示したが、実施の形態２に示したように、制御部が複数のＤ−ＦＦを個別に制御できるようにし、かつ重み付け係数の設定を変えることによって、実施の形態２にも同様に適用可能である。
【００９３】
（実施の形態４）
図７は、本発明の実施の形態４に係る無線受信装置が備えるパス更新フラグ発生部の構成を示すブロック図である。図７では、実施の形態１〜３で示した位相平均化処理部に対して、コンプレストモード時に最適な重み付け平均位相推定値を算出するためのパス更新フラグを発生させる構成例が示されている。
【００９４】
図７に示すように、このパス更新フラグ発生部は、受信データ（２）から作られるギャップ情報（１）を１スロット分の時間Ｔだけ遅延させる遅延手段としてのフリップフロップ（以下「Ｄ−ＦＦ」という）７０１と、遅延されていないギャップ情報とＤ−ＦＦ７０１にて１スロット分の時間Ｔだけ遅延されたギャップ情報との排他的論理和（ＸＯＲ）を求める排他的論理和演算器７０２と、排他的論理和演算器７０２が出力する強制パス更新情報とフィンガ割り当て部からのパス更新情報との論理和（ＯＲ）をパス更新フラグとして出力する論理和演算器７０３とを備えている。
【００９５】
次に、図７を参照して、上記構成を有するパス更新フラグ発生部の動作について説明する。図７において、受信データ（２）は、信号ありの期間７１１が複数スロット続き、その後、信号が送信されないギャップ期間７１２が複数スロット続き、その後、再び信号ありの期間７１３が複数スロット続くことを繰り返す。
【００９６】
ギャップ情報（１）は、ギャップ期間７１２でない場合は例えば“１”レベル、ギャップ期間７１２である場合は“０”レベルとなる情報である。Ｄ−ＦＦ７０１は、このようなギャップ情報（１）を１スロットの時間Ｔだけ遅延させる。
【００９７】
排他的論理和演算器７０２は、遅延されていないギャップ情報と１スロット遅延したギャップ情報との排他的論理和をとり、ギャップ情報（１）の変化を検出し、強制パス更新情報を発生する。
【００９８】
論理和演算器７０３は、フィンガ割り当て部からのパス更新情報と、排他的論理和演算器７０２が出力する強制パス更新情報との論理和をとり、パス更新フラグを実施の形態１、２で説明した位相平均化処理部に対しパス更新情報として通知する。
【００９９】
このように、本実施の形態４においては、コンプレストモード時のギャップ７１２の期間内の位相推定値を用いることなく複数スロットの位相推定値について重み付け平均した位相推定値を算出することができるので、送信ギャップ（ギャップ期間）の前後において復調性能を向上させることができる。
【０１００】
（実施の形態５）
図８は、本発明の実施の形態５に係る無線受信装置が備える制御信号発生部の構成を示すブロック図である。図８では、コンプレストモード時において位相推定処理、位相推定値の平均化処理、同期検波処理の各処理を必要なタイミングだけ動作させるための制御信号を発生する構成例が示されている。
【０１０１】
図８に示すように、この制御信号発生部は、ギャップ情報を１スロット分の時間Ｔだけ遅延させる遅延手段としてのフリップフロップ（以下「Ｄ−ＦＦ」という）８０１と、ギャップ情報とＤ−ＦＦ８０１にて１スロット分の時間Ｔだけ遅延されたギャップ情報との論理積（ＡＮＤ）を求める論理積演算器８０２とを備えている。
【０１０２】
ここで、遅延されないギャップ情報は、位相推定処理部に与えられ、論理積演算器８０２の出力は平均化処理部に与えられ、Ｄ−ＦＦ８０１にて遅延されたギャップ情報は、同期検波部に与えられる。
【０１０３】
次に、図９を参照して、上記構成を有する制御信号発生部の動作について説明する。図９は、図８に示す制御信号発生部の動作を説明するタイムチャートである。
【０１０４】
図９において、受信データ（１）は、図７で説明したように、信号ありの期間７１１が複数スロット続き、その後、信号が送信されないギャップ期間７１２が複数スロット続き、その後、再び信号ありの期間７１３が複数スロット続くことを繰り返す。
【０１０５】
位相推定処理（２）では、遅延されないギャップ情報に従って、受信データ（１）の信号ありの期間７１１、７１３のそれぞれと同一のタイミングで、各スロットの位相推定処理が実施される。ギャップ期間７１２では、直ちに位相推定処理が停止され、その後の信号ありの期間７１３の開始スロットで位相推定処理が開始される。
【０１０６】
位相平均化処理（３）では、受信データ（１）に対して、１スロット分遅れた関係を維持したタイミングで位相平均化処理が実施される。ギャップ期間７１２では、１スロット遅れたタイミングで位相平均化処理が停止され、その後の信号ありの期間７１３の開始スロットで位相平均化処理が開始される。
【０１０７】
同期検波処理（４）では、１スロット分遅延した受信データについて復調処理が実施される。ギャップ期間７１２では、１スロット遅れたタイミングから復調処理が停止され、その後の信号ありの期間７１３でも１スロット遅れたタイミングから復調処理が開始される。
【０１０８】
このように、本実施の形態５においては、コンプレストモード時のギャップ期間内での無用な処理を停止することができ、演算量の削減及び低消費電力を実現することができる。
【０１０９】
（実施の形態６）
図１０は、本発明の実施の形態６に係る無線受信装置の構成を示すブロック図である。この実施の形態６では、送信ダイバーシチのクローズドモード１時において、アンテナ０、アンテナ１それぞれの送信状態を監視し、位相推定値の平均処理を変更する構成例が示されている。
【０１１０】
図１０において、実施の形態６に係る無線受信装置は、逆拡散器１００１と、位相推定処理部１００２と、電力測定部１００３と、判定部１００４と、位相推定値平均化部１００５と、メモリ１００６と、同期検波部１００７とを備えている。
【０１１１】
次に、上記構成を有する実施の形態６に係る無線受信装置の動作について説明する。
【０１１２】
図１０において、逆拡散器１００１は、ＤＰＣＨ（Ｄｅｄｉｃａｔｅｄ　Ｐｈｙｓｉｃａｌ　Ｃｈａｎｎｅｌ）による受信信号の逆拡散を行う。逆拡散器１００１の出力は、位相推定処理部１００２とメモリ１００６とに入力される。
【０１１３】
位相推定処理部１００２は、逆拡散されたパイロット信号からアンテナ０、アンテナ１それぞれの位相推定値を算出し、電力測定部１００３と位相推定値平均化部１００５とに出力する。
【０１１４】
電力測定部１００３は、アンテナ０、アンテナ１それぞれの位相推定値からそれぞれの受信電力を測定し、判定部１００４に出力する。判定部１００４は、アンテナ０、アンテナ１それぞれの電力から基地局の送信状態を判定し、位相推定値平均化部１００５を制御する。位相推定値平均化部１００５の出力は、同期検波部１００７に出力される。
【０１１５】
判定部１００４では、具体的には、次のような判定動作が行われる。すなわち、判定部１００４は、アンテナ０、アンテナ１の受信電力の差が所定の閾値よりも大きい場合には、どちらかのアンテナからの送信に不具合があると判定し、アンテナ１の重み付け平均を停止し、代わりに復調対象データと同じ位相回転をかけられたパイロットシンボルから推定した位相推定値を出力するように位相推定値平均化部１００５を制御する。
【０１１６】
反対に、判定部１００４は、アンテナ０、アンテナ１の受信電力の差が所定の閾値よりも小さい場合は、両アンテナから送信されていると判定し、位相推定値平均化部１００５に対し、アンテナ０、アンテナ１の両位相推定値を複数スロットに渡って重み付け平均するように指示を出す。
【０１１７】
メモリ１００６は、逆拡散信号を１スロット分遅延して同期検波部１００７に出力する。同期検波部１００７は、位相推定値平均化部１００５が出力する位相推定値の複素共役をメモリ１００６から入力される逆拡散信号に乗算することによって同期検波を行う。
【０１１８】
このように、本実施の形態６においては、送信ダイバーシチのクローズドモード１時において、アンテナ０、アンテナ１それぞれの送信状態を監視し、基地局が正常な送信を行っている場合には、アンテナ０、アンテナ１それぞれの位相推定値を複数スロットに渡って重み付け平均を行うので、復調性能を向上させることができる。また、どちらかのアンテナが故障していると判断した場合は、アンテナ１の復調対象データと同じ位相回転をかけられたパイロットシンボルから推定した位相推定値を用いるので、故障時でも復調が可能となる。
【０１１９】
なお、この実施の形態６（図１０）では、ＤＰＣＨの位相推定値を用いる場合を示したが、ＣＰＩＣＨの位相推定値を用いて同期検波を行っても良い。この場合も位相推定値平均化部の動作は同じであり、同様の効果が得られる。
【０１２０】
（実施の形態７）
図１１は、本発明の実施の形態７に係る無線受信装置の構成を示すブロック図である。この実施の形態７では、送信ダイバーシチのクローズドモード１時において、アンテナ０、アンテナ１それぞれの送信状態を監視し、位相推定値の平均処理を変更する構成例が示されている。
【０１２１】
図１１において、実施の形態７に係る無線受信装置は、逆拡散器１００１と、位相推定処理部１００２と、電力測定部１００３と、判定部１００４と、位相推定値平均化部１００５と、メモリ１００６と、同期検波部１００７と、逆拡散器１１０１と、位相推定処理部１１０２とを備えている。
【０１２２】
すなわち、実施の形態７に係る無線受信装置は、図１１に示すように、実施の形態６（図１０）に示した構成において、逆拡散器１００１の出力を電力測定部１００３に与えるのに代えて、電力測定部１００３の入力段に、逆拡散器１１０１と位相推定処理部１１０２とが設けられている。
【０１２３】
次に、上記構成を有する実施の形態７に係る無線受信装置の動作について説明する。なお、ここでは、実施の形態７に関わる部分の動作を中心に説明する。
【０１２４】
図１１において、逆拡散器１１０１は、ＣＰＩＣＨによる受信信号の逆拡散を行う。逆拡散器１１０１の出力は、位相推定処理部１１０２に入力される。位相推定処理部１１０２は、逆拡散されたパイロット信号からアンテナ０、アンテナ１それぞれの位相推定値を算出し、電力測定部１００３に出力する。電力測定部１００３は、アンテナ０、アンテナ１それぞれの位相推定値からそれぞれの受信電力を測定し、判定部１００４に出力する。
【０１２５】
ここで、一般的にＤＰＣＨよりもＣＰＩＣＨの方が送信電力が大きく、受信信号の品質が良いので、判定部１００４では、実施の形態６で説明した内容の判定が高精度に実施できる。
【０１２６】
このように、実施の形態７においては、基地局の送信状態の監視にＣＰＩＣＨの位相推定値を用いるので、精度の高い判定が行えるようになる。なお、図１１においてもＤＰＣＨの電力を測定するようにし、ＣＰＩＣＨによる判定結果とＤＰＣＨによる判定結果の総合結果を用いて位相推定値平均化部を制御するように構成しても良い。一層精度の高い判定が行える。
【０１２７】
（実施の形態８）
図１２は、本発明の実施の形態８に係る無線受信装置の構成を示すブロック図である。この実施の形態８では、送信ダイバーシチのクローズドモード１時において、アンテナ０、アンテナ１それぞれの送信状態を監視し、位相推定値の平均処理を変更する構成例が示されている。
【０１２８】
図１２において、実施の形態８に係る無線受信装置は、逆拡散器１００１と、位相推定処理部１００２と、位相推定値平均化部１００５と、メモリ１００６と、同期検波部１００７と、位相速度測定部１２０１と、判定部１２０２とを備えている。
【０１２９】
すなわち、実施の形態８に係る無線受信装置は、図１２に示すように、実施の形態６（図１０）に示した構成において、電力測定部１００３に代えて、位相速度測定部１２０１が設けられ、判定部１００４に代えて判定部１２０２が設けられている。
【０１３０】
次に、上記構成を有する実施の形態８に係る無線受信装置の動作について説明する。なお、ここでは、実施の形態８に関わる部分の動作を中心に説明する。
【０１３１】
図１２において、位相速度測定部１２０１は、位相推定処理部１００２の出力を受けて、アンテナ１の位相推定値の位相変化速度を測定し、判定部１２０２に出力する。
【０１３２】
判定部１２０２は、アンテナ１の位相速度から基地局の送信状態を判定し、位相推定値平均化部１００５を制御する。判定部１２０２では、具体的には、次のような判定動作が行われる。
【０１３３】
すなわち、判定部１２０２は、アンテナ１の位相速度が所定の閾値よりも大きい場合には、どちらかのアンテナからの送信に不具合があると判定し、アンテナ１の重み付け平均を停止し、代わりに当該スロットの位相推定値を出力するよう位相推定値平均化部１００５を制御する。
【０１３４】
反対に、判定部１２０２は、アンテナ１の位相速度が所定の閾値よりも小さい場合は、両アンテナから正常に送信されていると判定し、位相推定値平均化部１００５に対し、アンテナ０、アンテナ１の両位相推定値を複数スロットに渡って重み付け平均するよう指示を出す。
【０１３５】
これは、基地局のアンテナのどちらかの送信に不具合があると移動機が送信するＦＢＩがランダムとなり、そのため基地局が送信するアンテナ１の送信信号の位相がランダムに変化するので、それを検出する。
【０１３６】
このように、本実施の形態８においては、実施の形態６、７と同様に、送信ダイバーシチのクローズドモード１時において、アンテナ０、アンテナ１それぞれの送信状態を監視し、基地局が正常な送信を行っている場合には、アンテナ０、アンテナ１それぞれの位相推定値を複数スロットに渡って重み付け平均を行うので、復調性能を向上させることができる。また、どちらかのアンテナが故障していると判断した場合には、アンテナ１の復調対象データと同じ位相回転をかけられたパイロットシンボルから推定した位相推定値を用いるので、故障時でも復調が可能となる。
【０１３７】
なお、実施の形態８（図１２）では、ＤＰＣＨの位相推定値を用いる場合を示したが、ＣＰＩＣＨの位相推定値を用いて同期検波を行っても良い。この場合も位相推定値平均化部の動作は同じであり、同様の効果が得られる。
【０１３８】
（実施の形態９）
図１３は、本発明の実施の形態９に係る無線受信装置の構成を示すブロック図である。この実施の形態９では、送信ダイバーシチのクローズドモード１時において、アンテナ０、アンテナ１それぞれの送信状態を監視し、位相推定値の平均処理を変更する構成例が示されている。
【０１３９】
図１３において、実施の形態９に係る無線受信装置は、逆拡散器１００１と、位相推定処理部１００２と、位相推定値平均化部１００５と、メモリ１００６と、同期検波部１００７と、電力変化測定部１３０１と、判定部１３０２とを備えている。
【０１４０】
すなわち、実施の形態９に係る無線受信装置は、図１３に示すように、実施の形態６（図１０）に示した構成において、電力測定部１００３に代えて、電力変化測定部１３０１が設けられ、判定部１００４に代えて判定部１３０２が設けられている。
【０１４１】
次に、上記構成を有する実施の形態９に係る無線受信装置の動作について説明する。なお、ここでは、実施の形態９に関わる部分の動作を中心に説明する。
【０１４２】
図１３において、電力変化測定部１３０１は、位相推定処理部１００２の出力を受けて、アンテナ０、アンテナ１それぞれの電力を算出し、前回値との変化を測定し、判定部１３０２に出力する。
【０１４３】
判定部１３０２は、電力変化測定部１３０１が出力する電力変化の状況から基地局の送信状態を判定し、位相推定値平均化部１００５を制御する。判定部１２０２では、具体的には、次のような判定動作が行われる。
【０１４４】
すなわち、判定部１３０２は、電力変化測定部１３０１が出力する測定値から両アンテナのどちらかの変化量が所定の閾値よりも大きい場合、どちらかのアンテナからの送信に不具合があると判定し、アンテナ１の重み付け平均を停止し、代わりに復調対象データと同じ位相回転をかけられたパイロットシンボルから推定した位相推定値を出力するよう位相推定値平均化部１００５を制御する。
【０１４５】
反対に、判定部１３０２は、両アンテナのどちらかの変化量が所定の閾値よりも小さい場合には、両アンテナから正常に送信されていると判定し、位相推定値平均化部１００５に対し、アンテナ０、アンテナ１の両位相推定値を複数スロットに渡って重み付け平均するよう指示を出す。
【０１４６】
これは、基地局のアンテナのどちらかの送信に不具合があると位相推定値の分散が大きくなるため受信電力の変動が大きくなるので、それを防止する措置である。なお、平均受信電力と電力変化の比で判断しても良い。
【０１４７】
このように、本実施の形態９においては、実施の形態６〜８と同様に、送信ダイバーシチのクローズドモード１時において、アンテナ０、アンテナ１それぞれの送信状態を監視し、基地局が正常な送信を行っている場合には、アンテナ０、アンテナ１それぞれの位相推定値を複数スロットに渡って重み付け平均を行うので、復調性能を向上させることができる。また、どちらかのアンテナが故障していると判断した場合には、アンテナ１の位相推定値を用いることを停止して当該スロットのパイロット信号のみによる位相推定値を用いるので、故障時でも復調が可能となる。
【０１４８】
なお、実施の形態９（図１３）では、ＤＰＣＨの位相推定値を用いる場合を示したが、ＣＰＩＣＨの位相推定値を用いて同期検波を行っても良い。この場合も位相推定値平均化部の動作は同じであり、同様の効果が得られる。
【０１４９】
（実施の形態１０）
図１４は、本発明の実施の形態１０に係る無線受信装置の構成を示すブロック図である。この実施の形態１０では、送信ダイバーシチのクローズドモード１時において、アンテナ０、アンテナ１それぞれの送信状態を監視し、位相推定値の平均処理を変更する構成例が示されている。
【０１５０】
図１４において、実施の形態１０に係る無線受信装置は、逆拡散器１００１と、位相推定処理部１００２と、電力測定部１００３と、判定部１００４と、位相推定値平均化部１００５と、メモリ１００６と、同期検波部１００７と、保護手段としての保護部１４０１とを備えている。
【０１５１】
すなわち、実施の形態１０に係る無線受信装置は、図１４に示すように、実施の形態６（図１０）に示した構成において、判定部１００４と位相推定値平均化部１００５との間に、保護部１４０１が設けられている。
【０１５２】
次に、上記構成を有する実施の形態１０に係る無線受信装置の動作について説明する。なお、ここでは、実施の形態１０に関わる部分の動作を中心に説明する。
【０１５３】
図１４において、保護部１４０１は、判定部１００４が出力する判定結果を後方保護及び前方保護を行うように構成されている。その結果、誤判定による性能劣化を防ぐことができ、より復調性能を向上させることができる。
【０１５４】
ここで、保護部１４０１は、前方保護、後方保護の他にもＩＩＲ平均値などを用いて保護をする構成でも構わない。なお、実施の形態７〜９にも同様に保護手段を設けることができることは言うまでもない。
【０１５５】
【発明の効果】
以上説明したように、本発明によれば、ＤＰＣＨの受信においてフィンガの割り当て時に正確な位相推定値を算出して受信性能の劣化を防止することができ、また、クローズドモード１においても、二つのアンテナのどちらかの送信が故障した場合に支障無く受信が行えるようになる。
【図面の簡単な説明】
【図１】本発明の実施の形態１に係る無線受信装置が備える位相平均化処理部の構成を示すブロック図
【図２】図１に示す位相平均化処理部にて行われる実施の形態１に係る平均化処理方法を説明する図
【図３】本発明の実施の形態２に係る無線受信装置が備える位相平均化処理部の構成を示すブロック図
【図４】図３に示す位相平均化処理部にて行われる実施の形態２に係る平均化処理方法を説明する図
【図５】本発明の実施の形態３に係る無線受信装置が備える位相平均化処理部の構成を示すブロック図
【図６】図５に示す位相平均化処理部にて行われる実施の形態３に係る平均化処理方法を説明する図
【図７】
本発明の実施の形態４に係る無線受信装置が備えるパス更新フラグ発生部の構成を示すブロック図
【図８】本発明の実施の形態５に係る無線受信装置が備える制御信号発生部の構成を示すブロック図
【図９】図８に示す制御信号発生部の動作を説明するタイムチャート
【図１０】本発明の実施の形態６に係る無線受信装置の構成を示すブロック図
【図１１】本発明の実施の形態７に係る無線受信装置の構成を示すブロック図
【図１２】本発明の実施の形態８に係る無線受信装置の構成を示すブロック図
【図１３】本発明の実施の形態９に係る無線受信装置の構成を示すブロック図
【図１４】本発明の実施の形態１０に係る無線受信装置の構成を示すブロック図
【図１５】ＣＰＩＣＨを用いて受信復調する無線受信装置において採用される複数スロットの位相推定値について重み付け平均処理を行う位相平均化処理部の構成例を示す図
【符号の説明】
１０１　フリップフロップ（ＲＳ−ＦＦ）
１０２、１０３、１０４、７０１、８０１　フリップフロップ（Ｄ−ＦＦ）
１０５、１０６、１０７、１０８　乗算器
１０９　加算器
１１０、３０１、５０１　制御部
７０２　排他的論理和演算器（ＸＯＲ）
７０３　論理和演算器（ＯＲ）
８０２　論理積演算器（ＡＮＤ）
１００１、１１０１　逆拡散器
１００２、１１０２　位相推定処理部
１００３　電力測定部
１００４、１２０２、１３０２　判定部
１００５　位相推定値平均化部
１００６　メモリ
１００６　同期検波部
１２０１　位相速度測定部
１３０１　電力変化測定部
１４０１　保護手段
【図１】
2004007088.tif 000003
【図２】
2004007088.tif 000004
【図３】
2004007088.tif 000005
【図４】
2004007088.tif 000006
【図５】
2004007088.tif 000007
【図６】
2004007088.tif 000008
【図７】
2004007088.tif 000009
【図８】
2004007088.tif 000010
【図９】
2004007088.tif 000011
【図１０】
2004007088.tif 000012
【図１１】
2004007088.tif 000013
【図１２】
2004007088.tif 000014
【図１３】
2004007088.tif 000015
【図１４】
2004007088.tif 000016
【図１５】
2004007088.tif 000017